(57)【要約】【課題】取り付け及び取り外しが容易で、且つ気密性の確保に有効な断熱内戸を提供する。【解決手段】断熱内戸１は、建物の開口部３に嵌め込まれる第１の断熱パネル５、第１の断熱パネル５から見付方向に張り出す張出部６ａを有する第２の断熱パネル６、外壁２の開口部３を画成する内周面２ｃと第１の断熱パネル５との隙間を気密に封止する隙間テープ８を備えている。隙間テープ８は、第１の断熱パネル５と外壁２の内周面２ｃとの間に配置された弾性変形部材８ａを有し、弾性変形部材８ａは、第１の断熱パネル５側において接着層８ｂを介し第１の断熱パネル５に接着固定され、外壁２の内周面２ｃ側において内周面２ｃに直接に当接している。【選択図】  図２
2010095976.tif 000002
【特許請求の範囲】
【請求項１】
建物の外壁に設けられた開口部に取り付けられる断熱内戸であって、
前記開口部に嵌め込まれる嵌合部を有する断熱パネルと、
前記外壁の前記開口部を画成する内周面と前記断熱パネルの嵌合部との隙間を気密に封止する気密封止部と、
を備えることを特徴とする断熱内戸。
【請求項２】
前記外壁は、室内側の内面と屋外側の外面とを有し、
前記断熱パネルは、前記断熱パネルから見付方向に張り出すと共に前記外壁の室内側の内面に突き当てられる張出部を有することを特徴とする請求項１に記載の断熱内戸。
【請求項３】
前記気密封止部は、前記断熱パネルの嵌合部と前記外壁の内周面との間に配置され、且つ弾性変形可能な弾性変形部材を有し、
前記弾性変形部材は、前記断熱パネルの嵌合部と前記外壁の内周面とに当接し、且つ前記嵌合部にのみ接着されることを特徴とする請求項１又は２に記載の断熱内戸。
【請求項４】
前記張出部の外周縁を被覆する被覆部を更に備えることを特徴とする請求項２又は３に記載の断熱内戸。
【請求項５】
前記被覆部は樹脂材料により形成されていることを特徴とする請求項４に記載の断熱内戸。
【請求項６】
前記開口部には窓部または扉部が設置され、
前記断熱パネルは、前記窓部または前記扉部の高さ方向に沿って並ぶ複数の断熱ユニットに分割されていることを特徴とする請求項１〜５のいずれか一項に記載の断熱内戸。
【請求項７】
複数の前記断熱ユニットの少なくとも一部は、前記開口部の最下部を含む領域に嵌め込まれることを特徴とする請求項６に記載の断熱内戸。
【発明の詳細な説明】
【技術分野】
【０００１】
本発明は、建物の窓部などの建物開口部に取り付けられる断熱内戸に関する。
【背景技術】
【０００２】
従来、このような分野の技術として、例えば特開平１１−３２４５２６号公報がある。この公報に記載された断熱内戸は、合成樹脂製の敷居レールと、レールに嵌め込まれた断熱引戸とを備えている。そして、断熱引戸によって室内の温かい空気が窓ガラス等に触れるのを遮断することにより、室内外の温度による結露の発生を防止する。
【特許文献１】特開平１１−３２４５２６号公報
【発明の開示】
【発明が解決しようとする課題】
【０００３】
しかしながら、前述した従来の断熱内戸では、断熱内戸の開閉のためにレールを取り付ける必要があるので、新たに内装工事が必要となり、取り付け及び取り外しのための作業負担が非常に大きい。特に、建物の躯体側にも施工する必要が生じるので、賃貸住宅の場合は気軽に取り付けることはできなかった。また、引戸を使用して断熱内戸の開閉を行うため、閉じた状態で隙間が生じ易い。その結果、気密性を確保するのが難く、結露が発生し易い室内環境を形成してしまうおそれがあった。
【０００４】
本発明は、このような技術課題を解決するためになされたものであって、取り付け及び取り外しが容易で、且つ気密性の確保に有効な断熱内戸を提供することを目的とする。
【課題を解決するための手段】
【０００５】
本発明に係る断熱内戸は、建物の外壁に設けられた開口部に取り付けられる断熱内戸であって、開口部に嵌め込まれる嵌合部を有する断熱パネルと、外壁の開口部を画成する内周面と断熱パネルの嵌合部との隙間を気密に封止する気密封止部と、を備えることを特徴とする。
【０００６】
本発明に係る断熱内戸では、開口部を形成する外壁の内周面に嵌め込まれる嵌合部を有する断熱パネルを備えるので、嵌合部を外壁の開口部に嵌め込むことにより断熱内戸を容易に開口部に取り付けることができると共に、開口部から断熱パネルを容易に取り外すことができる。また、外壁の開口部を画成する内周面と断熱パネルの嵌合部との隙間を気密に封止する気密封止部を備えるので、この気密封止部が嵌合部と外壁の内周面との隙間を気密に封止することにより、断熱パネルの嵌合部と外壁の内周面との隙間を生じ難く、断熱内戸の気密性を確保し易くなる。
【０００７】
本発明に係る断熱内戸において、外壁は、室内側の内面と屋外側の外面とを有し、断熱パネルは、断熱パネルから見付方向に張り出すと共に外壁の室内側の内面に突き当てられる張出部を有することが好適である。ここで、断熱パネルが外壁の室内側の内面に突き当てられるとは、外壁の室内側の内面より室内側に張り出している開口木枠等に突き当てられる場合も含む。
【０００８】
この場合にあっては、張出部が外壁の室内側の内面に突き当たるまで、断熱パネルを押し込むように嵌め込むことで断熱パネルの位置を簡単に決めることができる。また、断熱内戸を開口部から取り外す際に、例えばこの張出部を掴んで引っ張ることにより、簡単に取り外すことができる。
【０００９】
本発明に係る断熱内戸において、気密封止部は、断熱パネルの嵌合部と外壁の内周面との間に配置され、且つ弾性変形可能な弾性変形部材を有し、弾性変形部材は、断熱パネルの嵌合部と外壁の内周面とに当接し、且つ嵌合部にのみ接着されることが好適である。
【００１０】
この場合にあっては、弾性変形部材が弾性変形をすることにより、断熱パネルの嵌合部と外壁の内周面との隙間を埋めるので、断熱内戸の気密性を確保し易くなる。また、弾性変形部材における外壁の内周面側は接着性を有していないので、断熱パネルを取り外す際に、取り外す作業が簡単に行うことができ、しかも外壁の内周面にダメージを与えることがない。
【００１１】
本発明に係る断熱内戸において、張出部の外周縁を被覆する被覆部を更に備えることが好適である。
【００１２】
この場合にあっては、張出部の外周縁を保護することができる。
【００１３】
本発明に係る断熱内戸において、被覆部は樹脂材料により形成されていることが好適である。
【００１４】
この場合にあっては、金属製の被覆部と比べて熱伝導率が低いので、被覆部の断熱効果を高めることができる。
【００１５】
本発明に係る断熱内戸において、開口部には窓部または扉部が設置され、断熱パネルは、窓部または扉部の高さ方向に沿って並ぶ複数の断熱ユニットに分割されていることが好適である。
【００１６】
この場合にあっては、必要に応じて複数に分割された断熱ユニットのうち一部を外すことにより、採光を確保ことができ、断熱内戸の適用性を高めることができる。
【００１７】
本発明に係る断熱内戸において、複数の断熱ユニットの少なくとも一部は、開口部の最下部を含む領域に嵌め込まれることが好適である。
【００１８】
この場合にあっては、採光を確保することができると共にダウンドラフトの発生を軽減することができる。
【発明の効果】
【００１９】
本発明によれば、取り付け及び取り外しが容易で、且つ気密性の確保に有効な断熱内戸を提供することができる。
【発明を実施するための最良の形態】
【００２０】
以下、図面を参照し本発明に係る断熱内戸の好適な実施形態について詳細に説明する。
【００２１】
図１は本発明に係る断熱内戸を開口部に取り付けた状態を示す分解斜視図であり、図２は開口部に取り付けられた断熱内戸を示す縦断面図である。本実施形態に係る断熱内戸１は、建物の外壁２に設けられた開口部３に取り付けられ、冷たい外気の室内への侵入を防止し、快適な室内環境を改善するものである。
【００２２】
外壁２は、例えばコンクリートから形成され、室内側の内面２ａと屋外側の外面２ｂとを有する。開口部３は、外壁２の内周面２ｃにより画成されている。開口部３の屋外側には、窓部４が設置され、開口部３の室内側には、断熱内戸１が窓部４と対向するように開口部３に取り付けられている。そして、断熱内戸１は、開口部３に嵌め込まれる第１の断熱パネル（嵌合部）５と、第１の断熱パネル５より室内側に配置される第２の断熱パネル６とを備えて構成されている。
【００２３】
第１の断熱パネル５と第２の断熱パネル６とは、優れた断熱効果を有するフェノールフォームからなり、矩形薄板状に形成されている。この第１の断熱パネル５及び第２の断熱パネル６は、例えば両面接着テープで張り合わせることにより一体的に形成されている。
【００２４】
第１の断熱パネル５は、開口部３に嵌め込み可能な大きさに形成され、一方、第２の断熱パネル６は、第１の断熱パネル５より大きめに形成され、第１の断熱パネル５の外周面から見付方向に張り出している。そして、第１の断熱パネル５の外周面から見付方向に張り出す部分は、張出部６ａとなる。
【００２５】
図３は、断熱内戸の要部を示す拡大図である。図３に示すように、張出部６ａは、外壁２の室内側の内面２ａに突き当てられている。張出部６ａと室内側の内面２ａとの間には、面ファスナー７が介在されている。張出部６ａは、面ファスナー７を介して室内側の内面２ａに当接すると共に、この面ファスナー７によって室内側の内面２ａに固定されている。このようにすれば、断熱内戸１の落下を防止することができる。なお、ここでは、面ファスナー７に代えてマグネット等を用いてもよい。
【００２６】
また、断熱内戸１は、外壁２の内周面２ｃと第１の断熱パネル５との隙間を気密に封止する隙間テープ（気密封止部）８を備えている。この隙間テープ８は、第１の断熱パネル５と外壁２の内周面２ｃとの間に配置され、弾性変形可能な弾性変形部材８ａを有する。弾性変形部材８ａは、例えば発泡ウレタンあるいは発泡ラバーから形成されている弾性発泡体である。
【００２７】
弾性変形部材８ａは、第１の断熱パネル５と外壁２の内周面２ｃとに当接し、第１の断熱パネル５にのみ接着されている。具体的には、この弾性変形部材８ａは、第１の断熱パネル５側において接着層８ｂを介し第１の断熱パネル５に接着固定され、外壁２の内周面２ｃ側において内周面２ｃに直接に当接している。
【００２８】
また、断熱内戸１は、張出部６ａの外周縁を被覆する被覆部９を備えている。この被覆部９は、樹脂材料からなり、張出部６ａを取り囲むように枠状に形成され、張出部６ａの外周縁を保護する。そして、樹脂材料からなる被覆部９を用いることによって、金属製の被覆部と比べて熱伝導率が低いので、被覆部９の断熱効果を高めることができる。
【００２９】
このように構成された断熱内戸１にあっては、開口部３を形成する外壁２の内周面２ｃに嵌め込まれる第１の断熱パネル５を備えるので、第１の断熱パネル５を開口部３に嵌め込むことにより断熱内戸１を容易に開口部３に取り付けることができると共に、開口部３から断熱パネルを容易に取り外すことができる。
【００３０】
また、外壁２の内周面２ｃと第１の断熱パネル５との隙間を気密に封止する隙間テープ８を備えるので、この隙間テープ８が外壁２の内周面２ｃと第１の断熱パネル５との隙間を気密に封止することにより、外壁２の内周面２ｃと第１の断熱パネル５との隙間を生じ難く、断熱内戸１の気密性を確保し易くなる。その結果、窓部４の結露の発生を防止することができると共に、室内環境を確実に改善することができ、省エネルギ効果を高めることが可能となる。
【００３１】
また、第１の断熱パネルから見付方向に張り出す張出部６ａを有するので、断熱内戸１を開口部３に取り付ける際に張出部６ａが外壁２の室内側の内面２ａに突き当たるまで、第１の断熱パネル５を押し込むように嵌め込むことで第１の断熱パネル５の嵌合位置を簡単に決めることができる。そして、断熱内戸１を開口部３から取り外す際に、例えばこの張出部６ａを掴んで引っ張ることにより、簡単に取り外すことが可能となる。
【００３２】
更に、隙間テープ８は、弾性変形可能な弾性変形部材８ａを有するので、この弾性変形部材８ａが弾性変形をすることにより、第１の断熱パネル５と外壁２の内周面２ｃとの隙間を埋めるので、断熱内戸１の気密性を確保し易くなる。しかも、この弾性変形部材８ａにおける外壁２の内周面２ｃ側は接着性を有していないので、第１の断熱パネル５を開口部３から取り外す際に、取り外す作業が簡単に行うことができ、外壁２の内周面２ｃにダメージを与えることがない。
【００３３】
図１及び図２に示すように、第１の断熱パネル５及び第２の断熱パネル６は、窓部４の高さ方向に沿ってそれぞれ上部ブロック５Ａ，６Ａ、中部ブロック５Ｂ，６Ｂ、及び下部ブロック５Ｃ，６Ｃに等間隔に分割されている。そして、上部ブロック５Ａ及び上部ブロック６Ａは上部断熱ユニット１０と、中部ブロック５Ｂ及び中部ブロック６Ｂは中部断熱ユニット１１と、下部ブロック５Ｃ及び下部ブロック６Ｃは下部断熱ユニット１２を形成する。
【００３４】
そして、これらの断熱ユニット１０，１１，１２は、例えば接着テープで互いに固定されている。一方、被覆部９は、上部断熱ユニット１０、中部断熱ユニット１１及び下部断熱ユニット１２に対応するように、上部被覆部９Ａ、中部被覆部９Ｂ、及び下部被覆部９Ｃに分割されている。
【００３５】
このように上部断熱ユニット１０、中部断熱ユニット１１及び下部断熱ユニット１２に分割されることにより、必要に応じてこれらの断熱ユニット１０，１１，１２のうち一部を外すことが可能となる。その結果、採光を確保ことができると共に断熱内戸１の適用性を高めることができる。
【００３６】
例えば図４に示すように、開口部３の最下部を含む領域には下部断熱ユニット１２のみが取り付けられている。この場合にあっては、外部の光が開口部３の上部から室内に入射するので、採光を確保することができると共にダウンドラフトの発生を軽減することができる。
【００３７】
また、図５に示すように、開口部３の中部および下部を含む領域には中部断熱ユニット１１と下部断熱ユニット１２とが取り付けられている。この場合にあっては、外部の光が開口部３の上部から室内に入射するので、採光を確保することができると共にダウンドラフトの発生を軽減することができる。
【００３８】
本発明は、上記の実施形態に限定されるものではない。例えば、上記の実施形態では窓部４が装着される開口部３に断熱内戸１を取り付けることについて説明したが、本実施形態に係る断熱内戸１は、扉が装着される開口部にも適用される。
【００３９】
また、上記の実施形態において、第１の断熱パネル５及び第２の断熱パネル６の材料としてフェノールフォームが挙げられているが、フェノールフォームのほか、例えばグラスウール、ロックウール、ポリエチレンフォーム、ポリスチレンフォーム、ウレタンフォームなどを用いてもよい。さらに、第１の断熱パネル５及び第２の断熱パネル６の材料は異なる材料を用いることができる。
【図面の簡単な説明】
【００４０】
【図１】本発明に係る断熱内戸を開口部に取り付けた状態を示す分解斜視図である。
【図２】開口部に取り付けられた断熱内戸を示す縦断面図である。
【図３】断熱内戸の要部を示す拡大図である。
【図４】分割された断熱ユニットの取り付けを示す正面図である。
【図５】分割された断熱ユニットの取り付けを示す正面図である。
【符号の説明】
【００４１】
１…断熱内戸、２…外壁、２ａ…内面、２ｂ…外面、２ｃ…内周面、３…開口部、４…窓部、５…第１の断熱パネル（嵌合部）、６…第２の断熱パネル、６ａ…張出部、８…隙間テープ（気密封止部）、８ａ…弾性変形部材、９…被覆部、１０…上部断熱ユニット、１１…中部断熱ユニット、１２…下部断熱ユニット。
【図１】
2010095976.tif 000003
【図２】
2010095976.tif 000004
【図３】
2010095976.tif 000005
【図４】
2010095976.tif 000006
【図５】
2010095976.tif 000007